(57)【要約】【課題】  台所三角コーナーゴミ容器は丸孔及び線孔等の溝部が多い為、ヌメリや汚れがたまり易く、不潔で、掃除も大変である。【解決手段】  開いた状態で平行四辺形形状の本体フレームＡと、本体フレームＡに接続された袋Ｈとを備え、本体フレームＡは、Ｌ字型の固定フレーム部Ａ１，Ａ２と、Ｌ字型の可動フレーム部Ａ３，Ａ４とで構成され、固定フレーム部Ａ１，Ａ２と可動フレーム部Ａ３，Ａ４とは互いに端部同士が回動可能に連結され、可動フレーム部Ａ３，Ａ４は、そのＬ字型の角部で折れ曲がり可能であり、本体フレームＡが閉じた状態では、固定フレーム部Ａ１，Ａ２と可動フレーム部Ａ３，Ａ４との連結部と、可動フレーム部Ａ３，Ａ４の角部が回動し折れ曲がることによって、可動フレーム部Ａ３，Ａ４が固定フレーム部Ａ１，Ａ２に接した状態になる。【選択図】図９
2010013283.tif 000002
【特許請求の範囲】
【請求項１】
開いた状態で四角形の形状を持つ本体フレームと、その本体フレームの端縁に接続された袋と、を備え、
前記本体フレームは、Ｌ字型の固定フレーム部と、Ｌ字型の可動フレーム部とで構成され、
前記固定フレーム部と可動フレーム部とは互いに端部同士が回動可能に連結され、
前記可動フレーム部は、少なくともそのＬ字型の角部で折れ曲がり可能になっており、
前記本体フレームが閉じた状態では、前記固定フレーム部と前記可動フレーム部との連結部と、前記可動フレーム部の折れ曲がり可能な前記角部が回動し折れ曲がることによって、前記可動フレーム部が前記固定フレーム部に接した状態になる、使い捨て開閉自在台所三角コーナー用ゴミ袋。
【請求項２】
前記開いた状態での形状は平行四辺形である、請求項１記載の使い捨て開閉自在台所三角コーナー用ゴミ袋。
【請求項３】
前記本体フレームは、プラスチック素材または防水加工された紙素材で出来ている、請求項１記載の使い捨て開閉自在台所三角コーナー用ゴミ袋。
【請求項４】
逆Ｖ字型をなし、前記可動フレーム部を上方から跨いだ状態で、外側の一辺が、前記可動フレーム部に固着され、内側の一辺は固着されずフリーの状態となっている、移動クリップをさらに備えた、請求項１記載の使い捨て開閉自在台所三角コーナー用ゴミ袋。
【請求項５】
シンクの上面に固定される平板部と、その平板部の一辺に所定角度をもって取り付けられた溝部とを有する固定クリップをさらに備え、
前記溝部は、前記平板部を離れてさらに延伸して折れ曲がっている延伸部を有する、請求項１記載の使い捨て開閉自在台所三角コーナー用ゴミ袋。
【請求項６】
前記四角形は平行四辺形であって、前記固定フレーム部も弾力性を有し、
前記固定クリップの延伸部は、前記溝部に対して弾力性をもって回動可能になっている、請求項５記載の使い捨て開閉自在台所三角コーナー用ゴミ袋。
【発明の詳細な説明】
【技術分野】
【０００１】  台所の三角コーナーに用いられるゴミ袋に関する技術である。
【背景技術】
【０００２】  一般家庭の台所のシンクの三角コーナーには、生ゴミなどを一時的に置いておくため、三角形のゴミ容器が主に使われている。例えば、シンクの隅の形に合せた形状のプラスチック製の容器が一般的に知られている。【０００３】  この容器の中に、調理の際出てきた野菜の切れ端や、残飯などを捨てている。
【発明の開示】
【発明が解決しようとする課題】
【０００４】  このようなゴミ容器は、通常、水切りのため、丸孔及び線孔等の溝部が多いがその為、ヌメリや汚れがたまり易く、掃除も大変であった。【０００５】  また、そのようなゴミ容器の内側にゴミ袋を装着したとしても、その汚れは容器本体まで達して結局同じように掃除などが面倒になっている。【０００６】  また、ゴミが溜まったままに何時間かあるいは何日間か放置している間、見た目が見苦しく、さらにハエなどの虫がたかったりもしていた。【０００７】  本発明は、このような従来のゴミ容器の課題を考慮し、掃除が楽であり、見た目も清潔であり、衛生上も良い、使い捨て開閉自在台所三角コーナー用ゴミ袋を提供することを目的とする。
【課題を解決するための手段】
【０００８】  第１の本発明は、開いた状態で四角形の形状を持つ本体フレームと、その本体フレームの下端縁に、開口周縁部が接続された袋と、を備え、
前記本体フレームは、Ｌ字型の固定フレーム部と、Ｌ字型の可動フレーム部とで構成され、
前記固定フレーム部と可動フレーム部とは互いに端部同士が回動可能に連結され、
前記可動フレーム部は、少なくともそのＬ字型の角部で折れ曲がり可能になっており、
前記本体フレームが閉じた状態では、前記固定フレーム部と前記可動フレーム部との連結部と、前記可動フレーム部の折れ曲がり可能な前記角部が回動し折れ曲がることによって、前記可動フレーム部が前記固定フレーム部に接した状態になる、使い捨て開閉自在台所三角コーナー用ゴミ袋である。【０００９】  第２の本発明は、開いた状態での形状は平行四辺形である、第１の本発明の使い捨て開閉自在台所三角コーナー用ゴミ袋である。【００１０】  第３の本発明は、前記本体フレームは、プラスチック素材または防水加工された紙素材で出来ている、第１の本発明の使い捨て開閉自在台所三角コーナー用ゴミ袋である。【００１１】  第４の本発明は、逆Ｖ字型をなし、前記可動フレーム部を上方から跨いだ状態で、外側の一辺が、前記可動フレーム部に固着され、内側の一辺は固着されずフリーの状態となっている、移動クリップをさらに備えた、第１の本発明の使い捨て開閉自在台所三角コーナー用ゴミ袋である。【００１２】  第５の本発明は、シンクの上面に固定される平板部と、その平板部の一辺に所定角度をもって取り付けられた溝部とを有する固定クリップをさらに備え、
前記溝部は、前記平板部を離れてさらに延伸して折れ曲がっている延伸部を有する、第１の本発明の使い捨て開閉自在台所三角コーナー用ゴミ袋である。【００１３】  第６の本発明は、四角形は平行四辺形であって、前記固定フレーム部も弾力性を有し、
前記固定クリップの延伸部は、前記溝部に対して弾力性をもって回動可能になっている第５の本発明の使い捨て開閉自在台所三角コーナー用ゴミ袋である。
【発明の効果】
【００１４】  本発明によれば、掃除が楽であり、見た目も清潔であり、衛生上も良い、使い捨て開閉自在台所三角コーナー用ゴミ袋を提供することが出来る。
【発明を実施する為の最良の形態】
【００１５】  本発明は、上から見たとき、開口時は四角形状であったものが閉口時には全体的にＬ字型に折り畳まれる構造の、使い捨て開閉自在台所三角コーナー用ゴミ袋である。
【００１６】  また、開閉自在の本体フレ−ムはプラスチック、防水加工紙等の防水性のある素材で出来ていて、その本体フレ−ムにゴミ袋が一体化されている、使い捨て開閉自在台所三角コーナー用ゴミ袋である。
【００１７】  本体フレ−ムに折り目をつける事で、水平方向に曲げ自由な、９０度あるいは１８０度を超える折り畳みを可能にしたフレ−ム構造の使い捨て開閉自在台所三角コーナー用ゴミ袋である。
【００１８】  本体フレームを動かすツマミは、逆Ｖ字型で、片側は本体フレ−ムに固定され、もう一方の下向きの先端は少し開いていて、閉口時には本体フレ−ムの一部を挟んでロックでき、又、ロックすることによりゴミ袋内容物の重みによる垂れ下がり防止をする、使い捨て開閉自在台所三角コーナー用ゴミ袋である。
【００１９】  本発明の実施の形態を図１〜図１５を参考にして、以下に説明する。
【００２０】  図１は本実施の形態の使い捨て開閉自在台所三角コーナー用ゴミ袋の全体を示す斜視図である。
【００２１】  図１において、Ａは本体フレームである。この本体フレームＡは防水性のある素材で出来ていて、その下端縁には袋Ｈの上方開口周縁部が一体に固着されている。
【００２２】  本体フレームＡは例えばプラスチックあるいは防水加工された紙製品である。紙の場合は１ｍｍ厚で、縦幅が２５ｍｍから３０ｍｍくらいが望ましい。
【００２３】  本体フレームＡは、Ｌ字型の固定フレーム部Ａ１，Ａ２と、Ｌ字型の可動フレーム部Ａ３，Ａ４で出来ている。開口した状態では本体フレームＡは図１のように四角形をなし、ゴミが入れやすくなっている。
【００２４】  また、図３（ａ），（ｂ）に示すように、その固定フレーム部のＡ１の端部と可動フレーム部のＡ３の端部とは、連結部ＯＬ１において、折れ曲がり、回動可能に連結され、また、固定フレーム部のＡ２の端部と可動フレーム部のＡ４の端部とは、連結部ＯＬ７において、折れ曲がり、回動可能に連結されている。
【００２５】  さらに、可動フレーム部のＡ３とＡ４同士も、その端部同士で、角部のＯＬ４において、折れ曲がり、回動可能に連結されている。
【００２６】  さらに、可動フレーム部のＡ３には２つの折れ目ＯＬ２，ＯＬ３が、そしてＡ４には２つの折れ目ＯＬ５，ＯＬ６が形成され、折れ曲げ、回動可能になっている。
【００２７】  他方、図１の１００はシンクを示す。このシンク１００に、固定クリップＣＬが固定されている。この固定クリップＣＬは図７（ａ）、（ｂ）、（ｃ）に示すように、平板部ＣＬ１と、その平板部ＣＬ１の一辺に直角θに取り付けられた溝部ＣＬ２とを有する。この溝部ＣＬ２の溝の幅は前記固定フレーム部のＡ１を収納可能であって、且つ、がたつかない程度の大きさになっている。
【００２８】  さらに、溝部ＣＬ２は、平板部ＣＬ１を離れて、延伸し、直角に折れ曲がっている。ＣＬ３はその延伸部である。
【００２９】  この固定クリップＣＬの平板部ＣＬ１は、前記シンク１００の平面部に両面テープによって固定できるようになっている。
【００３０】  この固定クリップＣＬの素材としては、アルミ、プラスチック等の硬く、防水性があり腐食しにくい素材を利用することが望ましい。
【００３１】  また、移動クリップＴＵは、逆Ｖ字型をなし、可動フレーム部のＡ４を上方から跨いだ状態でセットされる。すなわち、外側の一辺ＴＵ１が、可動フレーム部のＡ４に固着されるとともに、内側の一辺ＴＵ２は固着されずフリーの状態となっている。この移動クリップＴＵは図１のように、可動フレーム部のＡ４の方に固着されているが、図９に示すように、Ａ３に固着してもかまわない。
【００３２】  この内側の一辺ＴＵ２の弾力は、後述する図４（ａ）、（ｂ）に示すように、フレームＡ２と延伸部ＣＬ３を挟み込むことが出来るために、比較的大きな弾力性を有している。
【００３３】  図８（ａ），（ｂ）は、本実施の形態のゴミ袋における、本体フレームＡと袋Ｈとの接着の仕方の変形例を示す図である。図において、本体フレームＡの内側に内装された袋Ｈは、その上端周縁Ｈ１が外側に折り返され、本体フレームＡの外側に接着されている。このような本体フレームＡと袋Ｈが一体となって、固定クリップＣＬの溝部ＣＬ２へ嵌入されて使用される。
【００３４】  次に、本発明の実施の形態のゴミ袋の使用方法を説明する。
【００３５】  予め工場で、本体フレームＡに袋Ｈを接着などにより一体化しておく。
【００３６】  そして、各家庭では、予め、可動フレーム部のＡ４に、移動クリップＴＵを固定しておく。
【００３７】  さらに、シンク１００の平面部に、固定クリップＣＬの平板部ＬＣ１を両面テープで固定しておく、あるいは上から透明テ−プで貼るか、おもり（ウェイト）を乗せても良い。
【００３８】  次に、袋Ｈが固着された固定フレーム部のＡ１を、固定クリップＣＬの溝部ＣＬ２へ、また、固定フレーム部のＡ２を延伸部ＣＬ３へ嵌めこんでおく。
【００３９】  このような状態では、ゴミ袋は四角形の大きな口をしているので、調理中にはゴミなどを捨てやすい。
【００４０】  次に、調理をしていないときは、ゴミを捨てないので、以下のようにこのゴミ袋の口を閉じておく。
【００４１】  図５はその様子を示したもので、移動クリップＴＵを指でつまみ、矢印の方向へ可動フレーム部のＡ３，Ａ４を固定フレーム部のＡ１，Ａ２側へ押し込む。その結果、連結部や折れ曲がり部ＯＬ１，ＯＬ２，ＯＬ３，ＯＬ４，ＯＬ５，ＯＬ６，ＯＬ７で適宜折れ曲がり、図５のＩＤ１〜ＩＤ６のように、スムーズに移動していき、可動フレーム部Ａ３，Ａ４は固定フレーム部Ａ１，Ａ２にぴったりくっつく。
【００４２】  その結果の状態を示す平面図が図４であり、その斜視図が図２である。なお、移動クリップＴＵの、内側の一辺ＴＵ２については、固定フレームＡ２と固定クリップＣＬ３に近づいた際、少し拡げて、図２、図４に示すように固定クリップＣＬ３の上から挟み込むようにする。
【００４３】  その結果、図２に示すように、ゴミ袋の口は完全に閉じられ、ゴミは見えなくなり、ハエなどの虫も入らなくなる。
【００４４】  また、この移動クリップＴＵによる挟み込みにより、可動フレーム部のＡ３，Ａ４と固定フレーム部のＡ１，Ａ２とはより一体化され、全体的にその剛性が増加する。その結果、ゴミの重さによる、本体フレームの垂れ下がりは確実に防止できる。
【００４５】  また、固定クリップＣＬの溝部ＣＬ２と延伸部ＣＬ３とは互いに直角に形成されており、そこに、それぞれ固定フレーム部のＡ１，Ａ２が密着して嵌入されているので、この本体フレームＡの四角形状（開いた時）あるいはＬ字型形状（閉じたとき）が崩れずに保持される。
【００４６】  なお、固定クリップＣＬのＣＬ２の、ＣＬ１に対する角度θは、図７（ｂ）に示すように上記実施の形態では直角であったが、その角度θを鈍角として、可動フレーム部のＡ４の方がＡ１よりも高くなるようにしてもよい。そのようにすることによって、可動フレーム部がゴミの重さにより垂れ下がることを目立たないようにすることが出来る。
【００４７】  また、Ａ１とＡ３との連結部とＡ２とＡ４の連結部については、図２や図４に示すように、出来るだけ、閉じた時ぴったり付くようになるように構成することが、垂れ下がりを防止するために、望ましい。
【００４８】  また、移動クリップＴＵの位置については、上記実施の形態では、可動フレーム部のＡ４側に固定したが、これに限らず、図９〜図１３に示すように、可動フレーム部のＡ３側に固定してもよい。どちらかというと、Ａ３側に固定する方がスムーズに閉じることが出来る。なお、図９〜図１３の実施の形態では、移動クリップＴＵは、固定フレーム部のＡ１と固定クリップのＣＬ２とを挟み込まない例を描いているが、移動クリップＴＵは、固定フレーム部のＡ１と固定クリップのＣＬ２を挟み込むようにしてもよい。その場合は、固定クリップのＣＬ２は、シンク１００より少しせり出して、隙間が存在する必要がある（図示省略）。
【００４９】  なお、可動フレーム部の折れ目ＯＬについては、最小限ＯＬ２かＯＬ３の一つだけであってもかまわない。可動フレーム部は紙あるいはプラスチック製品であって、適当にしなるようになっている方が開け閉めが円滑にいく。もちろん、ゴミの重さで垂れ下がらないように、剛性も必要である。そのためにはフレームの上下幅を大きくして必要な剛性を確保することも必要である。
【００５０】  さらには、可動フレーム部の材料として、弾力性があり且つ垂れ下がりにくい部材を選ぶことによって、折れ目ＯＬが全く無くてもかまわない。また、図１、図７（ａ）に示すように、固定クリップのＣＬ２にスリットＭを設け、そのスリットＭに、固定フレーム部のＡ２を差し込むことも可能である。このように、ＣＬ２にＡ２を差し込んだ場合は、移動クリップＴＵを利用して可動フレーム部Ａ３，Ａ４を固定フレーム部Ａ１，Ａ２に近づけて沿わせた後、さらに、図６に示すように、Ａ２をＡ１側に折り曲げることによって、本体フレーム全体を一直線に畳むことができる。その場合は固定フレームのＡ１とＡ２とはその連結部分で折れ曲げ可能となっている。
【００５１】  すなわち、本体フレームＡは、四角形からＬ字型へ、さらに図６に示すように、一直線に畳むことが可能になる。ただし、図６は、次に説明する別の実施の形態である平行四辺形タイプのゴミ袋を例にとって描いている。
【００５２】  次に、本発明の別の実施の形態について説明する。
【００５３】  図９は、この別の実施の形態のゴミ袋の斜視図であって、図１の実施の形態と異なるのは、開いた状態で、本体フレームＡが平行四辺形をしている点と、移動クリップＴＵが上述したように、可動フレーム部のＡ３側に固定されている点である。
【００５４】  図１０は、そのゴミ袋が閉じた状態の斜視図である。固定フレーム部のＡ２と可動フレーム部のＡ４が互いに接し、また、固定フレーム部のＡ１と可動フレーム部のＡ３も互いに接しており、さらに、Ａ２，Ａ４は、Ａ１，Ａ３に対して直角より広く、つまり鈍角をなしている。
【００５５】  図１１（ａ）は、開いた状態における、本体フレームＡと固定クリップＣＬと移動クリップＴＵの平面図であって、同（ｂ）図は、その正面図である。
【００５６】  図１２（ａ）は、閉じた状態における、本体フレームＡと固定クリップＣＬと移動クリップＴＵの平面図であって、同（ｂ）図は、その正面図である。
【００５７】  図１５（ａ）、（ｂ）は、本実施の形態のゴミ袋における、本体フレームＡと袋Ｈとの接着構造の別の構造を示す図である。図において、本体フレームＡの内側に内装された袋Ｈは、その上端周縁Ｈ１が外側に折り返され、本体フレームＡの外側に接着されている。このような本体フレームＡと袋Ｈが一体となって、固定クリップＣＬの溝部ＣＬ２へ嵌入されて使用される。
【００５８】  図１３は、本実施の形態のゴミ袋を開いた状態から閉じた状態へ移行させる図である。
【００５９】  先ず最初、移動クリップＴＵを押すと、可動フレーム部のＡ１とＡ３の連結部付近が弾力性をもって少し後ろへ反り、同時に、可動フレーム部のＡ２と、固定クリップＣＬの延伸部ＣＬ３がともに図のように反りながら開く。これによって、移動クリップＴＵの移動とともに、可動フレーム部のＡ３，Ａ４はスムーズに、固定フレーム部のＡ１，Ａ２の方へ近づいていく。
【００６０】  さらに、移動クリップＴＵを内側へ押し込んでいくと、可動フレーム部のＡ３，Ａ４も弾力性をもって少し湾曲する。これによってさらにスムーズに、固定フレーム部のＡ１，Ａ２の方へ近づいていく。
【００６１】  さらに、移動クリップＴＵを内側へ押し込み、ほぼ可動フレーム部のＡ３，Ａ４が、固定フレーム部のＡ１，Ａ２の近くに来ると、可動フレーム部のＡ１とＡ３の連結部付近が弾力性をもって元の位置に戻り、同時に、可動フレーム部のＡ２と、固定クリップＣＬの延伸部ＣＬ３も、ともに図のように元の位置に戻る。
【００６２】  以上のようにして、可動フレーム部のＡ３，Ａ４は、固定フレーム部のＡ１，Ａ２に密着して、閉鎖状態となる。
【００６３】  なお、図１４（ａ）は、固定クリップＣＬの平面図であり、同（ｂ）図はその側面図、同（ｃ）図はその正面図であるが、そこに描かれた点線はその延伸部ＣＬ３が弾力をもって移動可能となっていることを示す。
【００６４】  以上のようにして、本別の実施の形態でも、ゴミが溜まった場合は、本体フレームＡと袋Ｈをそのまま丸ごと廃棄処分すればよい。これによって特に掃除する必要もなくなる。
【００６５】  また、開いた状態で平行四辺形であるので、長方形の場合に比べて、可動フレーム部のＡ３，Ａ４を押し込んでいく際、より一層円滑に閉口できる。
【００６６】  また、可動フレーム部のＡ１とＡ３の連結部付近が弾力性をもち、可動フレーム部のＡ２と、固定クリップＣＬの延伸部ＣＬ３も回動するので、より一層、可動フレーム部のＡ３，Ａ４を押し込んでいく際、より一層円滑に閉口できる。
【産業上の利用可能性】
【００６７】  本発明は、使い捨て三角コーナー用ゴミ袋で、従来の底に穴の開いた三角容器タイプのゴミ容器ではないので、丸孔、線孔等がなく、ヌメリや、汚れの溜まり場がなく清潔である。汚れはシンクに付着するが、シンクには凹凸や丸孔、線孔が無いので、さっと洗う事ができる。【００６８】  ゴミのたまったままの三角容器は、不潔感があり不快であるが、この容器は折り畳み式であるので、ゴミの入り口を閉じることができる。【００６９】  ゴミの入り口を閉じることができると、虫の侵入、小さな虫の発生も防げる。【００７０】  使い捨て方式なので、面倒な本体の清掃も必要も無い。
【図面の簡単な説明】
【００７１】
【図１】  本発明の使い捨て開閉自在台所三角コーナー用ゴミ袋の実施の形態における、開口状態を示す斜視図
【図２】  同実施の形態における閉口状態を示す斜視図
【図３】  同実施の形態における開口状態における、本体フレームに固定クリップと移動クリップを取り付けた状態の平面図（ａ）と正面図（ｂ）
【図４】  同実施の形態における閉口状態における、本体フレームに固定クリップと移動クリップを取り付けた状態の平面図（ａ）と正面図（ｂ）
【図５】  同実施の形態における開口状態から閉口状態への本体フレ−ムの移行図
【図６】  同実施の形態における閉鎖状態の別の例を示す平面図
【図７】  同実施の形態における固定クリップの平面図（ａ）、側面図（ｂ）、正面図（ｃ）
【図８】  同実施の形態における、本体フレーム、固定クリップ、移動クリップ及び袋の結合状態を示す平面図（ａ）、側面図（ｂ）
【図９】  本発明の使い捨て開閉自在台所三角コーナー用ゴミ袋の別の実施の形態における、開口状態を示す斜視図
【図１０】  同別の実施の形態における閉口状態を示す斜視図
【図１１】  同別の実施の形態における開口状態における、本体フレームに固定クリップと移動クリップを取り付けた状態の平面図（ａ）と正面図（ｂ）
【図１２】  同別の実施の形態における閉口状態における、本体フレームに固定クリップと移動クリップを取り付けた状態の平面図（ａ）と正面図（ｂ）
【図１３】  同別の実施の形態における開口状態から閉口状態への本体フレ−ムの移行図
【図１４】  同別の実施の形態における固定クリップの平面図（ａ）、側面図（ｂ）、正面図（ｃ）
【図１５】  同別の実施の形態における、本体フレーム、固定クリップ、移動クリップ及び袋の結合状態を示す平面図（ａ）、側面図（ｂ）
【符号の説明】
【００７２】Ａ      本体フレーム
Ａ１  本体フレームの固定フレーム部
Ａ２  本体フレームの固定フレーム部
Ａ３  本体フレームの可動フレーム部
Ａ４  本体フレームの可動フレ−ム部
ＣＬ  固定クリップ
ＣＬ１  固定クリップの平板部
ＣＬ２  固定クリップの溝部
ＣＬ３  固定クリップの延伸部
ＴＵ    移動クリップ
ＴＵ１  移動クリップの固定側
ＴＵ２  移動クリップのフリー側
Ｈ      袋
Ｍ      固定クリップの予備スリット
ＯＬ１〜ＯＬ７  フレ−ムの折り目、連結部
ＩＤ１〜ＩＤ６  フレ−ムの移動位置
【図１】
2010013283.tif 000003
【図２】
2010013283.tif 000004
【図３】
2010013283.tif 000005
【図４】
2010013283.tif 000006
【図５】
2010013283.tif 000007
【図６】
2010013283.tif 000008
【図７】
2010013283.tif 000009
【図８】
2010013283.tif 000010
【図９】
2010013283.tif 000011
【図１０】
2010013283.tif 000012
【図１１】
2010013283.tif 000013
【図１２】
2010013283.tif 000014
【図１３】
2010013283.tif 000015
【図１４】
2010013283.tif 000016
【図１５】
2010013283.tif 000017